(57)【要約】【課題】石綿管が埋設されている建造物の解体工事時の石綿の飛散を防止するための装置を小型なもので済むようにし、かつ、斫り（はつり）等の工程を必要とせずに除去することができる、安全で安価な石綿管除去方法を提供する。【解決手段】先端噴射ローターヘッド８を、集合住宅２９の屋上に設置された手動巻上下機３にワイヤー４で固定し、手動で巻上げ巻下げすることにより、先端噴射ローターヘッド８を石綿管１０に挿入して上から下まで移動させながら、先端噴射ローターヘッド８から超高圧水を噴射させつつ、石綿管１０内を湿潤させて石綿管１０を徐々に除去していく。この際、水が入ってくる縦穴通路の中心軸に対して噴射される水の出口への横穴通路の中心軸が９０度の角度であり、かつ、縦穴通路の中心に対して横穴通路の中心が芯ブレされてずれている先端噴射ローターヘッド８を用いて、石綿管１０を除去する。【選択図】図２
2019112840.tif 000002
【特許請求の範囲】
【請求項１】
建造物内に埋設された石綿管を、超高圧水を噴射して除去する石綿管除去方法であって、
前記超高圧水を送る高圧ホースと、前記高圧ホースの先端に接続された高速回転水圧式治具と、前記高速回転水圧式治具に接続され、水圧によって回転させることにより水の出口先端に取り付けられたチップ超高圧水口から超高圧水を噴射させる先端噴射ローターヘッドを先端に備え、前記高速回転水圧式治具および前記先端噴射ローターヘッドを、前記建造物の屋上に設置された手動巻上下機にワイヤーで固定し、
前記手動巻上下機により手動で前記ワイヤーを巻上げおよび巻下げすることにより、前記先端噴射ローターヘッドと前記高速回転水圧式治具とを前記石綿管に挿入して、前記石綿管の上から下まで移動させながら、前記石綿管内で、前記先端噴射ローターヘッドから超高圧水を噴射させつつ、前記高速回転水圧式治具によって前記先端噴射ローターヘッドを回転させることにより、前記石綿管内を湿潤させ、前記石綿管を徐々に除去していき、
前記先端噴射ローターヘッドとして、前記高速回転水圧式治具から水が入ってくる縦穴通路の中心軸に対して前記先端噴射ローターヘッドから噴射される水の出口への横穴通路の中心軸が９０度の角度であり、かつ、前記高速回転水圧式治具から水が入ってくる縦穴通路の中心に対して前記先端噴射ローターヘッドから噴射される水の出口への横穴通路の中心が芯ブレされてずれている先端噴射ローターヘッドを用いて、前記石綿管を除去する
ことを特徴とする石綿管除去方法。
【請求項２】
建造物内に埋設された石綿管を、超高圧水を噴射して除去する石綿管除去方法であって、
前記超高圧水を送る高圧ホースと、前記高圧ホースの先端に接続された高速回転水圧式治具と、前記高速回転水圧式治具に接続され、水圧によって回転させることにより水の出口先端に取り付けられたチップ超高圧水口から超高圧水を噴射させる先端噴射ローターヘッドを先端に備え、前記高速回転水圧式治具および前記先端噴射ローターヘッドを、前記建造物の屋上に設置された手動巻上下機にワイヤーで固定し、
前記手動巻上下機により手動で前記ワイヤーを巻上げおよび巻下げすることにより、前記先端噴射ローターヘッドと前記高速回転水圧式治具とを前記石綿管に挿入して、前記石綿管の上から下まで移動させながら、前記石綿管内で、前記先端噴射ローターヘッドから超高圧水を噴射させつつ、前記高速回転水圧式治具によって前記先端噴射ローターヘッドを回転させることにより、前記石綿管内を湿潤させ、前記石綿管を徐々に除去していき、
前記先端噴射ローターヘッドとして、前記高速回転水圧式治具から水が入ってくる縦穴通路の中心軸に対して前記先端噴射ローターヘッドから噴射される水の出口への横穴通路の中心軸が９０度の角度であり、かつ、前記高速回転水圧式治具から水が入ってくる縦穴通路の中心に対して前記先端噴射ローターヘッドから噴射される水の出口への横穴通路の中心が芯ブレされてずれている先端噴射ローターヘッドを用いて、前記石綿管を除去するとともに、
前記石綿管を除去できない場合には、前記先端噴射ローターヘッドを、前記芯ブレの度合が異なる先端噴射ローターヘッドに交換して用いて、前記石綿管を除去する
ことを特徴とする石綿管除去方法。
【請求項３】
建造物内に埋設された石綿管を、超高圧水を噴射して除去する石綿管除去方法に用いられる先端噴射ローターヘッドであって、
前記超高圧水を送る高圧ホースと、前記高圧ホースの先端に接続された高速回転水圧式治具と、前記高速回転水圧式治具に接続され、水圧によって回転させることにより水の出口先端に取り付けられたチップ超高圧水口から超高圧水を噴射させる先端噴射ローターヘッドを先端に備え、前記高速回転水圧式治具および前記先端噴射ローターヘッドを、前記建造物の屋上に設置された手動巻上下機にワイヤーで固定し、前記手動巻上下機により手動で前記ワイヤーを巻上げおよび巻下げすることにより、前記先端噴射ローターヘッドと前記高速回転水圧式治具とを前記石綿管に挿入して、前記石綿管の上から下まで移動させながら、前記石綿管内で、前記先端噴射ローターヘッドから超高圧水を噴射させつつ、前記高速回転水圧式治具によって前記先端噴射ローターヘッドを回転させることにより、前記石綿管内を湿潤させ、前記石綿管を徐々に除去していく石綿管除去方法に用いられるものであり、
前記先端噴射ローターヘッドは、前記高速回転水圧式治具から水が入ってくる縦穴通路の中心軸に対して前記先端噴射ローターヘッドから噴射される水の出口への横穴通路の中心軸が９０度の角度であり、かつ、前記高速回転水圧式治具から水が入ってくる縦穴通路の中心に対して前記先端噴射ローターヘッドから噴射される水の出口への横穴通路の中心が芯ブレされてずれている
ことを特徴とする先端噴射ローターヘッド。
【発明の詳細な説明】
【技術分野】
【０００１】
この発明は、石綿管が使用されている集合住宅、学校校舎等の建造物における、構造物解体工事時の石綿管除去方法、および、その石綿管除去方法に用いられる先端噴射ローターヘッドに関するものである。
【背景技術】
【０００２】
従来から使用されてきた石綿は、耐久性、耐熱性、電気絶縁性等の特性が非常に優れている上に安価であるため、建設資材、電気製品、自動車部品等、様々な用途に広く使用されてきた。しかし、空気中に飛散した石綿が肺に吸収されると、約２０〜４０年の潜伏期間を経た後に、肺がんや中皮腫等の疾病を引き起こす可能性があることから、１９７５年以降においては、吹き付け石綿工法が禁止され、さらに、２００４年には石綿を１％以上含む製品の出荷が原則禁止され、現在に至っている。
【０００３】
しかし、１９７０年よりも前に建築された建造物の多くは、主に断熱保熱を目的に石綿が大量に使用され、その石綿を使用した建造物の耐用期限が近年に本格的に到来することから、解体工事時における現場や周辺地域に対して石綿公害が懸念されるとともに、その撤去作業の工法が重要視されている。
【０００４】
この問題を解決するために、埋設石綿管の除去方法およびそのための装置が提案されている（例えば、特許文献１，２参照）。
【先行技術文献】
【特許文献】
【０００５】
【特許文献１】特開２０００−２２６９４２号公報
【特許文献２】特開２００３−９７０５９号公報
【発明の概要】
【発明が解決しようとする課題】
【０００６】
しかしながら、例えば特許文献１に示すような従来の石綿管除去方法では、ガイド支柱を必要とし、回転駆動源と昇降駆動源に電動モーター、エアーモーターを使用しており、水圧を送るランス（パイプシャフト）等を用いた大がかりな装置になってしまう、という課題があった。また、ランス（パイプシャフト）等では、垂直管であれば作業ができるが実際には管のずれや曲がりがあるため、対応ができないという課題もあった。なお、管にずれや曲がりがある場合には、管径が大きければランスが入るため除去ができるが、管径が小さければ物理的にランスを入れることはできず対応不可能であるため、ピック等により斫り（はつり）をして、その後に、除去するしかなかった。
【０００７】
さらに、建造物の解体工事時における石綿管除去については、安全、早く、安く、という要求がなされているが、そのための装置、技術、費用面でも、さらなる改善の余地があった。
【０００８】
この発明は、上記のような課題を解決するためになされたものであり、石綿管が埋設されている建造物の解体工事時の石綿の飛散を防止するための装置を小型なもので済むようにし、かつ、斫り（はつり）等の工程を必要とせずに除去することができる、安全で安価な石綿管除去方法を提供することを目的とする。
【課題を解決するための手段】
【０００９】
上記目的を達成するため、この発明は、建造物内に埋設された石綿管を、超高圧水を噴射して除去する石綿管除去方法であって、前記超高圧水を送る高圧ホースと、前記高圧ホースの先端に接続された高速回転水圧式治具と、前記高速回転水圧式治具に接続され、水圧によって回転させることにより水の出口先端に取り付けられたチップ超高圧水口から超高圧水を噴射させる先端噴射ローターヘッドを先端に備え、前記高速回転水圧式治具および前記先端噴射ローターヘッドを、前記建造物の屋上に設置された手動巻上下機にワイヤーで固定し、前記手動巻上下機により手動で前記ワイヤーを巻上げおよび巻下げすることにより、前記先端噴射ローターヘッドと前記高速回転水圧式治具とを前記石綿管に挿入して、前記石綿管の上から下まで移動させながら、前記石綿管内で、前記先端噴射ローターヘッドから超高圧水を噴射させつつ、前記高速回転水圧式治具によって前記先端噴射ローターヘッドを回転させることにより、前記石綿管内を湿潤させ、前記石綿管を徐々に除去していき、前記先端噴射ローターヘッドとして、前記高速回転水圧式治具から水が入ってくる縦穴通路の中心軸に対して前記先端噴射ローターヘッドから噴射される水の出口への横穴通路の中心軸が９０度の角度であり、かつ、前記高速回転水圧式治具から水が入ってくる縦穴通路の中心に対して前記先端噴射ローターヘッドから噴射される水の出口への横穴通路の中心が芯ブレされてずれている先端噴射ローターヘッドを用いて、前記石綿管を除去することを特徴とする。
【発明の効果】
【００１０】
この発明の石綿管除去方法によれば、高速回転水圧式治具および先端噴射ローターヘッドを、建造物の屋上に設置された手動巻上下機にワイヤーで固定し、手動巻上下機により手動でワイヤーを巻上げおよび巻下げすることにより、先端噴射ローターヘッドと高速回転水圧式治具とを石綿管に挿入して、石綿管の上から下まで移動させながら、石綿管内で、先端噴射ローターヘッドから超高圧水を噴射させつつ、高速回転水圧式治具によって先端噴射ローターヘッドを回転させることにより、石綿管内を湿潤させて石綿管を徐々に除去していく際に、先端噴射ローターヘッドとして、高速回転水圧式治具から水が入ってくる縦穴通路の中心軸に対して先端噴射ローターヘッドから噴射される水の出口への横穴通路の中心軸が９０度の角度であり、かつ、高速回転水圧式治具から水が入ってくる縦穴通路の中心に対して先端噴射ローターヘッドから噴射される水の出口への横穴通路の中心が芯ブレされてずれている先端噴射ローターヘッドを用いるようにしたので、石綿管が埋設されている建造物の解体工事時の石綿の飛散を防止するための装置が小型なもので済み、かつ、斫り（はつり）等の工程を必要とせず、安全に安価な装置で石綿管を除去することができる。
【図面の簡単な説明】
【００１１】
【図１】一般的な集合住宅における石綿管の埋設状態を破線で表した全体概要の一例を示す図である。
【図２】この発明の実施の形態１における、一般的な集合住宅の石綿管除去方法の概要を示す説明図である。
【図３】この発明の実施の形態１における石綿管除去方法の養生の概要を示す拡大説明図である。
【図４】この発明の実施の形態１における飛散防止カバーの概要を示す拡大図である。
【図５】この発明の実施の形態１における、一般的な学校校舎の石綿管除去方法の概要を示す説明図である。
【図６】この発明の実施の形態１において、石綿管除去に用いられる先端噴射ローターヘッド、高速回転水圧式治具、および、高圧ホースが接続されている状態を示す概要説明図である。
【図７】図６に示す先端噴射ローターヘッドの種類と内部構造を示す概要説明図である。
【図８】この発明の実施の形態１において、石綿管が曲がっている場合の石綿管除去方法の一例を示す説明図である。
【図９】この発明の実施の形態１において、石綿管がずれている場合の石綿管除去方法の一例を示す説明図である。
【発明を実施するための形態】
【００１２】
以下、この発明の実施の形態について、図面を参照しながら詳細に説明する。
この発明は、石綿管が使用されている集合住宅、学校校舎等の建造物における、構造物解体工事時の石綿管除去方法に関するものであり、建造物内に埋設された石綿管を、超高圧水を噴射して除去する石綿管除去方法についての発明である。
【００１３】
実施の形態１．
図１は、一般的な集合住宅における石綿管の埋設状態を破線で表した全体概要の一例を示す図である。１９７０年よりも前に建築された一般的な集合住宅では、各部屋の浴室の壁から屋上までの排気管１８として、石綿管１０（図１中、破線で示す）が埋設されている。
【００１４】
図２は、この発明の実施の形態１における、一般的な集合住宅の石綿管除去方法の概要を示す説明図であり、図１に示す集合住宅におけるいずれかの石綿管１０の中央を縦に切った断面を図の左方向から見た断面の状態を示す図である。この図２に示すように、一般的な集合住宅においては、１階〜４階の各浴室から屋上まで石綿管１０が入っており、１階から屋上までの石綿管１０、２階から屋上までの石綿管１０、３階から屋上までの石綿管１０、４階から屋上までの石綿管１０という構造になっている。また、それぞれの石綿管１０の下部の開口部が、除去した石綿含有汚水１２の出口となっている。
【００１５】
図１に示す集合住宅において、石綿管除去を行う際には、横引き管１９にコア穴３１をあけ、そこから流出残差物が流れ出るので、下部に流れ出た石綿含有汚水１２（図２中、破線で示す）を吸引する。この際、コア穴３１は、石綿管１０の直径より大きめで、石綿管が破砕しないようにあける必要がある。まず、各浴室壁上部、下部の横引き管にコア穴３１をあける。また、上部から下部に沿って石綿含有汚水１２（図２中、破線で示す）が流れるようにするため、各階浴室土間にコア穴３１をあける。
【００１６】
次に、解体作業においては、内装については先に解体されているため、各浴室のドア、窓等に養生５をする。また、強力吸引車１７から吸引ホース１３を１階の浴室下部に設置し、吸引する。そして、屋上には飛散防止カバー２を、石綿管除去を行う石綿管１０の上部を覆うように置き、その上部に石綿管１０全体を囲むようにアルミ製の脚立１を置き、さらにその上に手動巻上下機３をセットする。すなわち、手動巻上下機３は、集合住宅２９の屋上に設置される。
【００１７】
この際、脚立１の周りにビニール養生５を施し、超高圧発生装置１６から超高圧水を送る高圧ホース６と、高圧ホース６の先端に接続された高速回転水圧式治具７と、高速回転水圧式治具７に接続され、水圧によって回転させることにより超高圧水の出口先端に取り付けられたチップ超高圧水口３４（後述する図６，図７参照）から超高圧水を噴射させる先端噴射ローターヘッド８を先端につないで、この高速回転水圧式治具７および先端噴射ローターヘッド８を、集合住宅２９の屋上に設置された手動巻上下機３にワイヤー４で固定する。
【００１８】
そして、手動巻上下機３により手動でワイヤー４を巻上げおよび巻下げすることにより、先端噴射ローターヘッド８と高速回転水圧式治具７とを石綿管１０に挿入して、石綿管１０の上から下まで移動させながら、その石綿管１０内で、先端噴射ローターヘッド８から超高圧水を噴射させつつ、高速回転水圧式治具７によって先端噴射ローターヘッド８を回転させることにより、石綿管１０内を湿潤させて石綿管１０を徐々に除去していく。なお、手動巻上下機３にはハンドル３０が取り付けられており、このハンドル３０による操作で誰でも簡単に上下に巻上げ巻下げができるようになっている。
【００１９】
なお、図２では、水道２６からの水を溜めた貯水槽２７から超高圧発生装置１６に水を送るようにしているが、水道２６から直接、超高圧発生装置１６に水を送ることができる場合には、貯水槽２７は不要である。
【００２０】
図３は、この発明の実施の形態１における石綿管除去方法の養生の概要を示す拡大説明図である。前述のとおり、図１および図２に示すような一般的な集合住宅において、石綿管除去を行う際には、その集合住宅の屋上で飛散防止カバー２を、石綿管除去を行う石綿管１０それぞれ１本ずつの上部を覆うように起き、その上部に石綿管１０全体（すべての石綿管１０）を覆い囲むようにアルミ製の脚立１を置き、ドアや窓等の養生５を施す。そして、アルミ製の脚立１の上に手動巻上下機３をセットする。また、高圧ホース６と高速回転水圧式治具７と先端噴射ローターヘッド８をつないだものを、ワイヤー４を介して手動巻上下機３に固定する。
【００２１】
この際、詳細な図示は省略するが、ワイヤー４にフックが設けられており、高圧ホース６と高速回転水圧式治具７との接続部分の超高圧カプラ２２（後述する図６参照）にひっかけを付けて、このひっかけにワイヤー４のフックをかけてからテープ等でとめることにより、高圧ホース６と高速回転水圧式治具７と先端噴射ローターヘッド８をつないだものにワイヤー４を固定する。
【００２２】
図４は、この発明の実施の形態１における飛散防止カバー２の概要を示す拡大図であり、図４（ａ）は側面から見た断面図、図４（ｂ）は上方から見た平面図である。飛散防止カバー２は、図４（ａ）に示すように、その上面がゴム板３５で構成されており、図４（ｂ）に示すように、ゴム板３５の中央には高圧ホース６と高速回転水圧式治具７と先端噴射ローターヘッド８を接続したものが通るように穴（図中、破線で示す）があけられている。そして、この飛散防止カバー２の上面がゴム板３５で構成されていることにより、高圧ホース６との隙間ができず、除去した石綿管１０の飛散を防止することができる。
【００２３】
すなわち、石綿管１０の上の方では、石綿管１０を湿潤させて粉砕させることにより、上方に飛び散った粉砕物（石綿管１０の粉砕物）が飛散防止カバー２内に集まるので、除去した石綿管１０の飛散を防止することができる。
【００２４】
図５は、この発明の実施の形態１における、一般的な学校校舎の石綿管除去方法の概要を示す説明図である。一般的な学校校舎２８は、３〜４階建てで、各教室の柱に暖房の排気管１８があり、下部の柱から屋上への排気管１８として石綿管１０が埋設されている。
【００２５】
各教室の柱には、上部に横引き管１９、下部に点検口３７があり、上部の横引き管１９はコアで大きめに穴をあけ、その上に鉄板養生２０を施す。その時、鉄板にはコーキング材を穴周りに塗って防水をし、アンカーで留めて鉄板養生２０を施す。また、柱の下部の点検口３７が、除去した石綿含有汚水１２の出口となっている。
【００２６】
そして、柱の周りに養生枠３８を設置し、ビニールシート養生として、点検口３７の口周りをテープで止め、枠周りにも養生５をし、前部分は二重シートをかけて吸引ホース１３を設置し、吸引する。そして、図３に示したのと同様に、屋上には飛散防止カバー２を、石綿管除去を行う石綿管１０の上部を覆うように置き、その上部に石綿管１０全体を囲むようにアルミ製の脚立１を置き、その上に手動巻上下機３をセットする。
【００２７】
この際、脚立１の周りにビニール養生５を施し、超高圧発生装置１６から高圧ホース６と高速回転水圧式治具７と先端噴射ローターヘッド８をつないで、手動巻上下機３にワイヤー４で固定し、石綿管１０に挿入して上下どちらからでも除去できるようにする。なお、図２と同様に、図５においても、水道２６からの水を溜めた貯水槽２７から超高圧発生装置１６に水を送るようにしているが、水道２６から直接、超高圧発生装置１６に水を送ることができる場合には、貯水槽２７は不要である。
【００２８】
図６は、この発明の実施の形態１において、石綿管除去に用いられる先端噴射ローターヘッド８、高速回転水圧式治具７、および、高圧ホース６が接続されている状態を示す概要説明図である。図６に示すように、高速回転水圧式治具７は、高圧ホース６とは、ジョイント２１と超高圧カプラ２２を介して接続されており、先端噴射ローターヘッド８には、その先端噴射ローターヘッド８に設けられた縦穴に高速回転水圧式治具７の先端を挿入して固定することにより接続されている。
【００２９】
ここで、図６中の上部が先端噴射ローターヘッド８の高速回転水圧式治具７との接続部分であり、先端噴射ローターヘッド８における噴射される水の出口への横穴通路３３の中心軸（図６中、一点鎖線で示す）は、先端噴射ローターヘッド８における高速回転水圧式治具７との接続部分の水が入ってくる縦穴通路３６（高速回転水圧式治具７から水が入ってくる縦穴通路３６）の中心軸に対して９０度の角度で接続されている。すなわち、先端噴射ローターヘッド８から噴射される水の出口先端に設けられたチップ超高圧水口３４の中心軸もまた、先端噴射ローターヘッド８における高速回転水圧式治具７との接続部分の水が入ってくる縦穴通路３６（高速回転水圧式治具７から水が入ってくる縦穴通路３６）の中心軸に対して９０度の角度で接続されている。
【００３０】
図７は、図６に示す先端噴射ローターヘッド８の種類と内部構造を示す概要説明図であり、先端噴射ローターヘッド８を上部から見た断面図、すなわち、図６の先端噴射ローターヘッド８において、先端噴射ローターヘッド８から噴射される水の出口への横穴通路３３およびその出口先端に取り付けられたチップ超高圧水口３４を通る平面（図６中、一点鎖線で示すライン）で水平に切った断面図を上部から見た図である。
【００３１】
図７（ｄ）は、横穴通路３３（およびチップ超高圧水口３４）の中心を縦穴通路３６の中心に対して芯ブレさせていない（ずれていない）場合の先端噴射ローターヘッド８を示しており、この場合には、先端噴射ローターヘッド８から噴射される水の出口への横穴通路３３（およびチップ超高圧水口３４）の中心は、破線で示すラインＸ上にある。このラインＸは、先端噴射ローターヘッド８に高速回転水圧式治具７から水が入ってくる縦穴通路３６の中心を通るラインである。そして、図７（ａ）〜図７（ｃ）は、図７（ｄ）の状態から、横穴通路３３（およびチップ超高圧水口３４）の中心を縦穴通路３６の中心に対して１ｍｍ芯ブレさせたもの、２ｍｍ芯ブレさせたもの、３ｍｍ芯ブレさせたものである。なお、ここでは、先端噴射ローターヘッド８に高速回転水圧式治具７から水が入ってくる縦穴通路３６の内側の半径を４ｍｍと仮定する。
【００３２】
そして、石綿管１０を除去する際に、石綿管１０が硬い場合には、先端噴射ローターヘッド８の回転数を小さくする（１０００〜１２００回転／分にする）とよく、また逆に柔らかい場合には、回転数を大きくする（１４００〜１６００回転／分にする）とよいが、ここでは、回転数のもっとも高いもの、すなわち、上記の例では、図７（ｃ）に示す３ｍｍ芯ブレさせてずれている先端噴射ローターヘッド８を用いるものとする。なお、この図７（ｃ）に示す先端噴射ローターヘッド８の回転数は、１５００回転／分である。
【００３３】
つまり、先端噴射ローターヘッド８は、回転数を下げるために必要なものである。高速回転水圧式治具７は、回転数が速くて毎分３０００回転するため、水が分散してしまい石綿管１０をうまく除去することができないので、回転数を下げるために先端噴射ローターヘッド８が必要となる。
この図６，図７に示す先端噴射ローターヘッド８は、本願出願人が発明したものであり、従来からあるものとは大きく異なっている。
【００３４】
従来からあるものは、特許文献１，２等にも示されているように、高速回転水圧式治具から水が入ってくる縦穴との角度を９０＋３５度など、斜めに接続している。これは、高圧の水を噴射することにより石綿管を除去するものである。なお、特許文献１，２では、まっすぐしか入れることができない長い治具であるランスを用いているため、重いランスを巻き上げることができるよう、自動巻き上げ機を使っている。
しかし、この発明の実施の形態１では、先端噴射ローターヘッド８において、噴射される水の出口への横穴通路３３の中心軸を高速回転水圧式治具７との接続部分の水が入ってくる縦穴通路３６の中心軸に対して９０度の角度にしているため、低圧で除去することが可能になる。
【００３５】
また、従来からある先端噴射ローターヘッドは、高速回転水圧式治具から水が入ってくる縦穴との角度を９０＋３５度など、斜めに接続しているので、石綿管を上方向から下方向に向かって除去していくことしかできないため、視認しながら除去を行う必要があるが、この発明の実施の形態１では、先端噴射ローターヘッド８において、噴射される水の出口への横穴通路３３の中心軸を高速回転水圧式治具７との接続部分の水が入ってくる縦穴通路３６の中心軸に対して９０度の角度にしているため、先端噴射ローターヘッド８と高速回転水圧式治具７とを巻下げていく（徐々に下げていく）場合だけでなく、巻上げていく（徐々に上げていく）場合であっても同様に、石綿管１０内を湿潤させて粉砕させることができるので、石綿管１０を上方向からでも下方向からでも除去することが可能である、という点においても、従来からあるものとは大きく異なっている。
【００３６】
また、従来からあるものは、先端噴射ローターヘッド８の水の出口への横穴通路（従来は斜めの通路であったが）の中心が、先端噴射ローターヘッド８に水が入ってくる縦穴通路の中心に対して芯ブレされてずれているようなものではなかった。
しかし、この発明の実施の形態１では、先端噴射ローターヘッド８に高速回転水圧式治具７から水が入ってくる縦穴通路３６の中心に対して、先端噴射ローターヘッド８における噴射される水の出口への横穴通路３３およびその出口先端に取り付けられたチップ超高圧水口３４の中心が、芯ブレされてずれていることにより、さらに低い回転数で除去することが可能となる。
【００３７】
このように、先端噴射ローターヘッド８として、高速回転水圧式治具７から水が入ってくる縦穴通路３６の中心に対して、先端噴射ローターヘッド８から噴射される水の出口への横穴通路３３の中心が芯ブレされてずれている先端噴射ローターヘッド８を用いるようにしたので、具体的には、水圧１７００〜２０００ｋｇｆ／ｃｍ２、１５００回転／分で１３リットルの水量により、石綿管１０の表面のみ除去することができるようになり、その結果、石綿管１０が埋設されている建造物の解体工事時の石綿の飛散を防止するための装置が小型なもので済み、かつ、斫り（はつり）等の工程を必要とせず、安全に安価な装置で石綿管を除去することができる。
【００３８】
図８は、この発明の実施の形態１において、石綿管１０が曲がっている場合の石綿管除去方法の一例を示す説明図である。集合住宅２９、学校校舎２８等の建造物に埋設されている石綿管除去は、超高圧発生装置１６から高圧ホース６と高速回転水圧式治具７と先端噴射ローターヘッド８をつなぎ、管内上部から下部まで入れていくのだが、石綿管１０が曲がっていると、従来のランスでは、それ以上は入っていかないという問題があった。
【００３９】
また、図９は、この発明の実施の形態１において、石綿管１０がずれている場合の石綿管除去方法の一例を示す説明図である。集合住宅２９、学校校舎２８等の建造物に埋設されている石綿管除去は、超高圧発生装置１６から高圧ホース６と高速回転水圧式治具７と先端噴射ローターヘッド８をつなぎ、管内上部から下部まで入れていくのだが、石綿管１０が途中でずれていると、曲がっている場合と同様に、従来のランスでは、それ以上は入っていかないという問題があった。
【００４０】
そこで、この発明の実施の形態１では、例えば図８に示すように石綿管１０が曲がっていたり、図９に示すように石綿管１０が途中でずれていたりして、超高圧発生装置１６から高圧ホース６と高速回転水圧式治具７と先端噴射ローターヘッド８をつないだものが、管内上部から下部まで入らない場合は、先端噴射ローターヘッド８が移動しなくなったところで高速回転水圧式治具７と先端噴射ローターヘッド８を外に出し、先端噴射ローターヘッド８を選別して替える。
【００４１】
この際、先端噴射ローターヘッド８に高速回転水圧式治具７から水が入ってくる縦穴通路３６の内径に応じて、先端噴射ローターヘッド８における噴射される水の出口への横穴通路３３およびその出口先端に取り付けられたチップ超高圧水口３４の中心が、先端噴射ローターヘッド８に水が入ってくる縦穴通路３６の中心に対して芯ブレしてずれている、その芯ブレの度合の適した先端噴射ローターヘッド８に交換する。
【００４２】
すなわち、前述のとおり、先端噴射ローターヘッド８は、回転数を下げるために必要なものであるが、さらに回転数を下げるために、先端噴射ローターヘッド８の横穴通路３３（およびチップ超高圧水口３４）の中心を縦穴通路３６の中心に対して芯ブレさせてずれている、その芯ブレの度合が異なる先端噴射ローターヘッド８を複数用意しているのである。
【００４３】
そして、石綿管１０を除去する際には、前述のとおり、石綿管１０が硬い場合には、先端噴射ローターヘッド８の回転数を小さくする（１０００〜１２００回転／分にする）とよく、また逆に柔らかい場合には、回転数を大きくする（１４００〜１６００回転／分にする）とよいので、例えば、先端噴射ローターヘッド８に高速回転水圧式治具７から水が入ってくる縦穴通路３６の内側の半径を４ｍｍだと仮定すると、図７（ａ）〜（ｃ）に示すような３種類の先端噴射ローターヘッド８を準備しておき、石綿管１０が硬い場合には、適切な先端噴射ローターヘッド８を選別して替えて使用する。
【００４４】
通常は、もっとも回転数の高いもの（上記の例だと芯ブレ３ｍｍのもの）を最初にセットしておくが、石綿管１０を粉砕できない場合には、回転数の低いもの（芯ブレ１ｍｍのものや２ｍｍのもの）につなぎ替えて、徐々に石綿管１０を粉砕することにより石綿管１０の内径を大きくし、その後、最初にセットされていた回転数の高い先端噴射ローターヘッド８に替える（戻す）ことにより、すべての石綿管１０を除去することができるようになる。
【００４５】
例えば、先端噴射ローターヘッド８に高速回転水圧式治具７から水が入ってくる縦穴通路３６の内側の半径が４ｍｍの場合には、図７（ａ）〜図７（ｃ）に示す３種類の先端噴射ローターヘッド８のうち、最初は図７（ｃ）に示す３ｍｍ芯ブレさせた先端噴射ローターヘッド８、すなわち、回転数の高い先端噴射ローターヘッド８が接続されているものとする。そして、その状態では石綿管１０を除去することができない場合（石綿管１０が硬くて除去できない場合、図８に示すように石綿管１０が曲がっている場合、図９に示すように石綿管１０がずれている場合など）に、図７（ｂ）または図７（ａ）に示す、芯ブレの度合を小さくした回転数の低い先端噴射ローターヘッド８につなぎ替えて使用する。
【００４６】
その結果、石綿管１０の内壁を徐々に粉砕して石綿管１０の内径を広げながら、石綿管１０を徐々に除去していくことができ、さらに、先端噴射ローターヘッド８と高速回転水圧式治具７との巻上げ巻下げを繰り返し、石綿管１０内を湿潤させて石綿管１０を徐々に除去していき、そして、徐々に芯ブレの度合の大きい先端噴射ローターヘッド８に交換して戻していくことにより、すべての石綿管１０を除去することができる。
【００４７】
このように、先端噴射ローターヘッド８における噴射される水の出口への横穴通路３３の中心が、先端噴射ローターヘッド８に水が入ってくる縦穴通路３６の中心に対して芯ブレされてずれている、その芯ブレ度合が異なる先端噴射ローターヘッド８をあらかじめ何種類も準備しておく。そして、石綿管１０を除去できない場合には、先端噴射ローターヘッド８を、先端噴射ローターヘッド８から噴射される水の出口への横穴通路３３（およびチップ超高圧水口３４）の中心が、高速回転水圧式治具から水が入ってくる縦穴通路３６の中心に対して芯ブレされてずれている、その芯ブレ度合が異なる適切な先端噴射ローターヘッド８に交換して使用することにより、石綿管のずれや曲がりがあっても斫り（はつり）等の工程を必要とせず、徐々に石綿管１０の内径を広げながら、安全に安価な装置ですべての石綿管１０を除去することができる。
【００４８】
なお、前述のとおり、この実施例では、先端噴射ローターヘッド８に水が入ってくる縦穴通路３６の内側の半径を４ｍｍとしたので、図７（ａ）〜図７（ｃ）に示すように、先端噴射ローターヘッド８の横穴通路３３（およびチップ超高圧水口３４）の中心が縦穴通路３６の中心に対して１ｍｍ芯ブレさせたもの、２ｍｍ芯ブレさせたもの、３ｍｍ芯ブレさせたもの、という３種類の先端噴射ローターヘッド８の中から選別するものとして説明したが、縦穴通路３６の内径がもっと大きい場合には、さらに１ｍｍずつ芯ブレさせた数多くの先端噴射ローターヘッド８を用意しておいて、適切なものを選別して交換して使用するようにすればよい。
【００４９】
以上のように、この実施の形態１の石綿管除去方法によれば、高速回転水圧式治具および先端噴射ローターヘッドを、建造物の屋上に設置された手動巻上下機にワイヤーで固定し、手動巻上下機により手動でワイヤーを巻上げおよび巻下げすることにより、先端噴射ローターヘッドと高速回転水圧式治具とを石綿管に挿入して、石綿管の上から下まで移動させながら、石綿管内で、先端噴射ローターヘッドから超高圧水を噴射させつつ、高速回転水圧式治具によって先端噴射ローターヘッドを回転させることにより、石綿管内を湿潤させて石綿管を徐々に除去していく際に、先端噴射ローターヘッドとして、高速回転水圧式治具から水が入ってくる縦穴通路の中心軸に対して先端噴射ローターヘッドから噴射される水の出口への横穴通路の中心軸が９０度の角度であり、かつ、高速回転水圧式治具から水が入ってくる縦穴通路の中心に対して先端噴射ローターヘッドから噴射される水の出口への横穴通路の中心が芯ブレされてずれている先端噴射ローターヘッドを用いるようにしたので、石綿管が埋設されている建造物の解体工事時の石綿の飛散を防止するための装置が小型なもので済み、かつ、斫り（はつり）等の工程を必要とせず、安全に安価な装置で石綿管を除去することができる。
【００５０】
さらに、石綿管を除去できない場合には、先端噴射ローターヘッドを、高速回転水圧式治具から水が入ってくる縦穴通路の中心に対して先端噴射ローターヘッドから噴射される水の出口への横穴通路の中心が芯ブレされてずれている、その芯ブレ度合が異なる先端噴射ローターヘッドに交換して使用することにより、石綿管のずれや曲がりがあっても斫り（はつり）等の工程を必要とせず、安全に安価な装置ですべての石綿管を除去することができる。
【００５１】
なお、本願発明はその発明の範囲内において、実施の形態の任意の構成要素の変形、もしくは実施の形態の任意の構成要素の省略が可能である。
【符号の説明】
【００５２】
１  脚立
２  飛散防止カバー
３  手動巻上下機
４  ワイヤー
５  養生（ビニール、ドア、窓、その他）
６  高圧ホース
７  高速回転水圧式治具
８  先端噴射ローターヘッド
９  水圧口
１０  石綿管
１２  石綿含有汚水
１３  吸引ホース
１６  超高圧発生装置
１７  強力吸引車
１８  排気管
１９  横引き管
２０  鉄板養生
２１  ジョイント
２２  超高圧カプラ
２７  給水槽
２８  学校校舎
２９  集合住宅
３０  手動巻上下機３のハンドル
３１  コア穴
３３  先端噴射ローターヘッド８における噴射される水の出口への横穴通路
３４  チップ（サファイア石）超高圧水口
３５  ゴム板
３６  先端噴射ローターヘッド８における高速回転水圧式治具７との接続部分の水が入ってくる縦穴通路
３７  点検口
３８  養生枠
【図１】
2019112840.tif 000003
【図２】
2019112840.tif 000004
【図３】
2019112840.tif 000005
【図４】
2019112840.tif 000006
【図５】
2019112840.tif 000007
【図６】
2019112840.tif 000008
【図７】
2019112840.tif 000009
【図８】
2019112840.tif 000010
【図９】
2019112840.tif 000011